(57)【要約】【課題】髪を傷めず、しかも手軽に取り付け及び取り外しができる髪飾り２の提供。【解決手段】髪飾り２は、留め具４、ライン６及び複数の装飾子８を備えている。留め具４は、ベース部１０、押さえ板１２及び中空のリベット１４を備えている。ベース部１０と押さえ板１２との間に毛髪が挟まれることにより、留め具４が髪に取り付けられる。ライン６の一端は、留め具４に取り付けられている。ライン６は、留め具４から垂下している。ライン６は、合成樹脂の糸である。装飾子８は、ライン６に固定されている。複数の装飾子８が、所定間隔を隔てて配置されている。装飾子８には、合成樹脂が用いられている。装飾子８は、光輝性を有する。この髪飾り２は、装飾子８が髪に散りばめられた状態で使用される。【選択図】図１
2009268721.tif 000002
【特許請求の範囲】
【請求項１】
髪に対して着脱自在な留め具、
この留め具に一端が取り付けられており、この留め具から垂下するライン
及び
このラインに取り付けられた装飾子
を備えた髪飾り。
【請求項２】
上記ライン上に所定間隔を隔てて点在する複数の装飾子を備えた請求項１に記載の髪飾り。
【請求項３】
上記ラインが合成樹脂からなる糸である請求項１又は２に記載の髪飾り。
【請求項４】
上記ラインが天然又は人造の毛髪からなる請求項１又は２に記載の髪飾り。
【発明の詳細な説明】
【技術分野】
【０００１】
本発明は、髪に取り付けられる髪飾りに関する。
【背景技術】
【０００２】
髪の装飾目的で、種々の髪飾りが提案されている。例えば、かんざし、リボン、ヘアーバンド、飾り櫛、飾りピン等が利用されている。近年、髪に小さな玉（例えばビーズ玉）を散りばめた装飾が好まれている。
【０００３】
実用新案登録第３０１３３９４号公報には、孔を有するビーズが開示されている。この孔に毛髪が通されることで、ビーズが髪に取り付けられる。
【０００４】
実用新案登録第３０６５４２８号公報には、一対のチップを備えた髪飾りが開示されている。一方のチップは突起を有しており、他方のチップは穴を有している。この穴に突起が押し込まれることで、一方のチップが他方のチップに固定される。両チップに毛髪が挟まれることで、この毛髪に髪飾りが固定される。
【０００５】
合成樹脂からなる糸に複数のビーズが取り付けられた髪飾りが提案されている。これらビーズは、糸上に所定間隔を隔てて点在している。この糸の一端が、髪に固定される。糸は、接着剤により、又は溶着により、髪に固定される。
【特許文献１】実用新案登録第３０１３３９４号公報
【特許文献２】実用新案登録第３０６５４２８号公報
【発明の開示】
【発明が解決しようとする課題】
【０００６】
従来の髪飾りは、取り付けのときに髪を傷める可能性がある。しかも、髪への取り付け及び取り外しに時間がかかる。場面に応じて手軽に取り付け及び取り外しが可能な髪飾りが望まれている。
【０００７】
本発明の目的は、髪を傷めず、しかも手軽に取り付け及び取り外しができる髪飾りの提供にある。
【課題を解決するための手段】
【０００８】
本発明に係る髪飾りは、
髪に対して着脱自在な留め具、
この留め具に一端が取り付けられており、この留め具から垂下するライン
及び
このラインに取り付けられた装飾子
を備える。
【０００９】
好ましくは、この髪飾りは、ライン上に所定間隔を隔てて点在する複数の装飾子を備える。
【００１０】
好ましくは、ラインは、合成樹脂からなる糸である。ラインが天然又は人造の毛髪からなってもよい。
【発明の効果】
【００１１】
本発明に係る髪飾りは、留め具によって髪に取り付けられる。この髪飾りの取り付け及び取り外しは、容易である。この髪飾りは、髪を傷めない。
【発明を実施するための最良の形態】
【００１２】
以下、適宜図面が参照されつつ、好ましい実施形態に基づいて本発明が詳細に説明される。
【００１３】
図１は、本発明の一実施形態に係る髪飾り２が示された正面図である。図２は、図１のII−II線に沿った拡大断面図である。図３は、図１の髪飾り２の一部が示された鉛直方向に沿った拡大断面図である。この髪飾り２は、留め具４、ライン６及び複数の装飾子８を備えている。
【００１４】
留め具４は、金属又は硬質合成樹脂からなる。留め具４は、ベース部１０、押さえ板１２及び中空のリベット１４を備えている。ベース部１０は、多数の櫛歯１６を有している。ベース部１０はさらに、孔１８を有している。押さえ板１２の端は、リベット１４によってベース部１０に固定されている。押さえ板１２は、ベース部１０に対して相対的に弾性変形しうる。
【００１５】
この髪飾り２には、種々の留め具が用いられうる。他の留め具としては、ヘアピン、ヘアクリップ、ヘアスナップ、コーム及びバレッタが例示される。髪に一時的に係止されるものであれば、留め具の構成は制限されない。
【００１６】
ライン６は、孔１８及びリベット１４に通されている。ライン６の一端が結ばれることにより、この一端が留め具４に取り付けられている。ライン６は、留め具４から垂下している。ライン６は、柔軟な材料からなる。典型的には、ライン６は合成樹脂からなる糸である。合成樹脂の具体例としては、ナイロン及びポリフッ化ビニリデン（フロロカーボン）が挙げられる。ライン６が、天然又は人造の毛髪からなってもよい。
【００１７】
図２及び３から明らかなように、装飾子８は、２つのピース２０からなる。これらのピース２０の間には、接着剤層２２が存在する。ライン６は、この接着剤層２２を通されている。接着剤層２２により、一方のピース２０が他方のピース２０と接合されている。接着剤層２２により、装飾子８がライン６に固定されている。
【００１８】
ピース２０は、合成樹脂からなる。無色の合成樹脂が用いられてもよく、着色された合成樹脂が用いられてもよい。図１から明らかなように、ピース２０は多面体にカットされている。このカットにより、装飾子８に光輝性が付与されている。カットが省略されてもよい。ピース２０に、ガラスが用いられてもよい。装飾子８に真珠又は宝石が用いられてもよい。
【００１９】
図４は、図１の髪飾り２の使用状態が示された模式図である。図４では、留め具４が髪に係止されている。ライン６は、留め具４から垂れ下がっている。多数（この実施形態では５個）の装飾子８は、髪の中に散りばめられている。装飾子８は、髪のアクセントとして機能する。この装飾子８により、髪が装飾される。無色透明なライン６が用いられた場合、このライン６は目立たない。ライン６が、目立ちにくい色（例えば髪の色と同じ色）に着色されてもよい。ライン６として毛髪が用いられた場合、特にライン６が目立ちにくい。
【００２０】
この装飾子８が用いられるとき、着用者は押さえ板１２（図１参照）を弾性変形させてこの押さえ板１２をベース部１０から離す。着用者は、櫛歯１６を髪に差しつつ、毛髪をベース部１０と押さえ板１２との間に位置させる。着用者が押さえ板１２を復元させることにより、ベース部１０と押さえ板１２とで毛髪が挟まれる。こうして、留め具４が髪に取り付けられる。この取り付けは、極めて容易である。着用者が押さえ板１２を弾性変形させてこの押さえ板１２をベース部１０から離すことにより、髪飾り２が容易に髪から取り外される。この留め具４は髪に対して着脱自在であり、着脱容易である。着用者は、場面に応じ、髪飾り２を髪に付けたり外したりできる。髪飾り２がつけられても、この髪飾り２が髪を傷つけない。この髪飾り２が、カツラ又は付け毛と共に用いられてもよい。留め具４が、カツラ又は付け毛に取り付けられてもよい。
【００２１】
図３において矢印Ｌ１で示されてるのは、装飾子８のサイズである。サイズＬ１は１ｍｍ以上１０ｍｍ以下が好ましい。サイズＬ１が１ｍｍ以上である装飾子８を備えた髪飾り２は、装飾性に優れる。この観点から、サイズＬ１は２ｍｍ以上が好ましい。サイズＬ１が１０ｍｍ以下である装飾子８を備えた髪飾り２は、派手すぎない。この観点から、サイズＬ１は７ｍｍ以下がより好ましい。
【００２２】
装飾子８の数は、３以上１０以下が好ましい。３以上の装飾子８を備えた髪飾り２は、装飾性に優れる。この観点から、装飾子８の数は４以上がより好ましい。装飾子８の数が１０以下である髪飾り２は、派手すぎない。この観点から、装飾子８の数は８以下が好ましい。
【００２３】
図１において矢印Ｌ２で示されているのは、装飾子８同士の間隔である。間隔Ｌ２は、２ｃｍ以上１０ｃｍ以下が好ましい。間隔Ｌ２が２ｃｍ以上である髪飾り２は、派手すぎない。この観点から、間隔Ｌ２は３ｃｍ以上がより好ましい。間隔が１０ｃｍ以下である髪飾り２は、装飾性に優れる。この観点から、間隔は７ｃｍ以下がより好ましい。
【００２４】
図５は、本発明の他の実施形態に係る髪飾り２６の一部が示された、水平方向に沿った断面図である。図６は、図５の髪飾り２６が示された鉛直方向に沿った断面図である。図５及び６には、ライン６及び装飾子２８が示されている。ライン６の構成は、図１に示された髪飾り２のそれと同等である。図示されていないが、この髪飾り２６は、図１に示された髪飾り２と同様に、留め具４を備えている。装飾子２８は、球状である。この装飾子２８は、孔３０を備えている。この孔３０に、ライン６が通されている。この装飾子２８は、合成樹脂、ガラス又はビーズからなる。装飾子２８は、ストッパー３２によってライン６に固定されている。この髪飾り２６でも、装飾子２８によって髪が飾られる。この髪飾り２６も、髪に対して着脱自在であり、着脱容易である。
【図面の簡単な説明】
【００２５】
【図１】図１は、本発明の一実施形態に係る髪飾りが示された正面図である。
【図２】図２は、図１のII−II線に沿った拡大断面図である。
【図３】図３は、図１の髪飾りの一部が示された鉛直方向に沿った拡大断面図である。
【図４】図４は、図１の髪飾りの使用状態が示された模式図である。
【図５】図５は、本発明の他の実施形態に係る髪飾りの一部が示された、水平方向に沿った断面図である。
【図６】図６は、図５の髪飾りが示された鉛直方向に沿った断面図である。
【符号の説明】
【００２６】
２、２６・・・髪飾り
４・・・留め具
６・・・ライン
８、２８・・・装飾子
１０・・・ベース部
１２・・・押さえ板
２０・・・ピース
２２・・・接着剤層
３２・・・ストッパー
【図１】
2009268721.tif 000003
【図２】
2009268721.tif 000004
【図３】
2009268721.tif 000005
【図４】
2009268721.tif 000006
【図５】
2009268721.tif 000007
【図６】
2009268721.tif 000008